(57)【要約】      （修正有）【課題】絵柄を描出する織物において、織物の自由な位置にシェニール糸で不定形な柄部を描出させることを課題とする。【解決手段】ヨコ糸に、パイルが芯糸に係止され、糸の長さ方向において複数の色彩のパイルを有し、シェニール糸上に設けられた色彩差、パイル長差、糸素材差いずれかによる変化を目印とし、この目印でシェニール糸を折り返すと絵柄を描出する目印である折り返し目印部をシェニール糸上に不定間隔に設けたシェニール糸と、もう１種類以上の糸を使用し、織物内に部分的に絵柄を形成する。【選択図】図２
2008038292.tif 000002
【特許請求の範囲】
【請求項１】
パイルが芯糸に係止され、糸の長さ方向において複数の色彩のパイルを有するシェニール糸（１０）おいて、シェニール糸（１０）上に設けられた色彩差、パイル長差、糸素材差いずれかによる変化を目印とし、この目印でシェニール糸（１０）を折り返すと絵柄を描出する目印である折り返し目印部（１１）を、シェニール糸（１０）上に不定間隔に設けていることを特徴とするシェニール糸。
【請求項２】
絵柄を描出する織物において、ヨコ糸に２種類以上の糸を使用すると共に、その１つに請求項１に記載のシェニール糸を使用し、織物内に部分的にこの請求項１に記載のシェニール糸を折り返し織り込み、絵柄を形成する柄部（１２）を描出した織物。
【発明の詳細な説明】
【技術分野】
【０００１】
本発明は、糸の長さ方向において複数の色彩のパイルを有するシェニール糸１０をヨコ糸として織り込むと、シェニール糸１０の色彩が変化して絵柄が描出されているシェニール織物と呼ばれる織物を構成するシェニール糸と、それを用いた織物に関するものである。
【背景技術】
【０００２】
従来の、絵柄を描出するシェニール織物用の、糸の長さ方向において複数の色彩のパイルを有するシェニール糸１０は、シェニール糸１０をヨコ糸として織り込むと、シェニール糸１０の色彩の変化によって絵柄を描出するために、一定間隔で折り返しの目印を設けたものが公開されており、特許願（例えば、特許文献１参照）には、この折り返し目印を織物の端に合わせることで、狙いの絵柄が描出される製法が開示されている。
【０００３】
また、従来の糸の長さ方向において複数の色彩のパイルを有するシェニール糸１０をヨコ糸として織り込み、シェニール糸１０の色彩の変化によって絵柄が描出されているシェニール織物は、織幅全体にヨコ糸が織り込まれた状態で形成され、ヨコ糸が全幅に織り込まれる特性上、絵柄は地部１３と柄部１２で構成され、シェニール糸設計時に設定された織幅２０と織長２１より成る四角形の決められた配置に柄部１２を構成していた。
【特許文献１】特願２００５−３３５３１３（請求項１）
【発明の開示】
【発明が解決しようとする課題】
【０００４】
手芸等の創作活動において、製作者は常にオリジナル性を求める傾向にあるが、従来の、糸の長さ方向において複数の色彩のパイルを有するシェニール糸１０をヨコ糸として織り込み、シェニール糸１０の色彩の変化によって絵柄が描出されているシェニール織物は、織幅２０と織長２１より成る四角形の決められた配置に柄部１２を構成し、設定通りの絵柄の構図しか織れない自由度のない織物であると共に、不定形な柄部１２のみを織るためのシェニール糸は存在していなかった。
【０００５】
そこで本発明は、絵柄を描出する織物において、織物の自由な位置にシェニール糸１０で不定形な柄部１２を描出させることを課題とする。
【課題を解決するための手段】
【０００６】
本発明に係る、パイルが芯糸に係止され、糸の長さ方向において複数の色彩のパイルを有するシェニール糸１０は、シェニール糸１０上に設けられた色彩差、パイル長差、糸素材差いずれかによる変化を目印とし、この目印でシェニール糸１０を折り返すと絵柄を描出する目印である折り返し目印部１１を、シェニール糸１０上に不定間隔に設けていることを第１の特徴とする。
【０００７】
本発明によれば、織幅に関係なく、シェニール糸１０上にシェニール糸１０を折り返すと絵柄を描出する折り返し目印部１１を不定間隔に構成することにより、シェニール糸１０を織幅全域に織り込まず、シェニール糸１０に設けられた折り返し目印部１１で折り返し織り込んでいくことにより、作成者が意図する箇所に自由にシェニール糸１０による絵柄を形成する柄部１２を描出することを可能にするシェニール糸を実現させることができる。
【０００８】
また、本発明に係る絵柄を描出する織物の第１の特徴は、ヨコ糸に２種類以上の糸を使用すると共に、その１つに、シェニール糸１０上に設けられた折り返し目印部１１でシェニール糸１０を折り返すと絵柄を描出する不定間隔に設けられた折り返し目印部１１を有するシェニール糸を使用し、織物内に部分的にこのシェニール糸１０を折り返し織り込み、絵柄を形成する柄部１２を描出した点にある。
【０００９】
本発明によれば、ヨコ糸に２種類以上の糸を使用することにより、シェニール糸１０を柄部１２に使用し、柄部１２以外をシェニール糸１０以外の糸で構成することにより、作成者が意図する箇所に自由にシェニール糸による絵柄を形成する柄部１２を描出する織物を得ることができる。
【発明の効果】
【００１０】
本発明によると、シェニール糸１０上にシェニール糸１０を折り返すと絵柄を描出する色彩差、パイル長差、糸素材差いずれかによる変化からなる折り返し目印部１１を不定間隔に構成することにより、四角形でない絵柄を形成する柄部１２のみを描出するシェニール糸を得ることができる。
【００１１】
また、ヨコ糸に２種類以上の糸を使用することにより、このシェニール糸１０を柄部１２に使用し、柄部１２以外をシェニール糸１０以外の糸で構成することにより、作成者が意図する箇所に自由にシェニール糸による絵柄描出を行う織物を得ることが出来る。
【発明を実施するための最良の形態】
【００１２】
以下、図面に示す実施の形態により、本発明を詳細に説明する。
【００１３】
図１は、糸の長さ方向において複数の色彩のパイルを有し、折り返し目印間隔Ｌが一定となる折り返し目印部１１で構成されたシェニール糸１０をヨコ糸として用い、一定間隔に設けられた折り返し目印部１１を織物の両端に合わせ、地部１３と柄部１２を描出した従来のシェニール糸と従来のシェニール織物を示したものである。
【００１４】
図１において、地部１３と柄部１２で描出されたシェニール織物は、シェニール糸１０の設計時に想定された織幅２０と織長２１より成る四角形の決められた配置に柄部１２を描出している。
【００１５】
また、図１における要部断面図は、織物形成時に、ジェニール糸が屈曲している状態を示しており、折り返し目印部の間隔Ｌは織りによる屈曲を考慮し、織幅より広い長さにて一定に設定されている。
【００１６】
図２は、本発明におけるシェニール糸を図示するものであり、パイルが芯糸に係止され、糸の長さ方向において複数の色彩のパイルを有するシェニール糸１０おいて、シェニール糸１０上に不定間隔に設けられた色彩の変化による折り返し目印部１１でシェニール糸１０を折り返すと柄部１２が描出できる状態を示すものである。
【００１７】
図３は、本発明におけるシェニール糸を図示するものであり、不定間隔に設けられた目印部１１のパイル長が異なった状態を示しており、折り返し目印部１１は糸素材差により設定されたものでもよい。
【００１８】
図４は、本発明におけるシェニール糸を図示するものであり、図２においては、色彩差による不定間隔に設けられた折り返し目印部１１を示したが、この折り返し目印部の幅１８が一定でない状態で、柄部１２を形成した状態を示すものである。
【００１９】
本発明のシェニール糸は、柄色部１２を描出するための折り返し目印部１１が、色彩差、パイル長差、糸素材差いずれかによる変化を目印とし、シェニール糸上に不定間隔に構成されておればよく、折り返し目印部の幅１８が一定でなくてもよい。
【００２０】
図５は、本発明における織物の絵柄表現を図示するものであり、ヨコ糸として、２本の絹糸２２と、糸の長さ方向において複数の色彩のパイルを有し折り返しの目印間隔が不定となる折り返し目印部１１で構成されたシェニール糸１０とを用い、絹糸２２を折り返し織り成す地部１３と、シェニール糸１０により織り成された柄部１２を描出した状態を示すものである。
【００２１】
なお、図５における拡大図は、シェニール糸１０より構成される柄部１２と絹糸２２より構成される地部１３の間に隙間が発生しないようにするための、シェニール糸１０と絹糸２２の接結例を示したものであり、図のようにシェニール糸１０と絹糸２２をシェニール糸１０の折り返し目印部１１で交差するように織り込むと柄部１２と地部１３の間に隙間が発生しない。
【００２２】
なお、シェニール糸１０より構成される柄部１２と地部１３に隙間が発生しないようにする製法として、シェニール糸１０より構成される柄部１２に、シメ糸と呼ばれる柄表現に影響を与えない細い糸を織り込み、地部１３を構成するヨコ糸と交差させてもよい。
【００２３】
また、シェニール糸１０より構成される柄部１２と地部１３に隙間が発生しないようにする製法として、柄部１２を形成するシェニール糸１０と地部１３を構成するヨコ糸と交差させず、柄部１２を構成するタテ糸に地部１３に形成するヨコ糸を折り返す方法を用いても良い。
【００２４】
なお、本発明の織物は、糸の長さ方向において複数の色彩のパイルを有し折り返しの目印間隔が不定となる折り返し目印部１１で構成されたシェニール１０糸以外に、もう１種類以上の異質の糸を用いればよく、図５においては、絹糸２２で形成された領域が地部１３のみで構成されているが、これは本発明の一例にすぎず、シェニール１０糸以外の糸で形成された領域にて、シェニール１０糸以外の糸で、絵柄を表現する織技法である綴れ織技法を用い、絵柄を構成してもよい。
【００２５】
また、本発明の織物おいては、長さ方向において色彩が変化しているシェニール糸１０を絵柄表現に用いているため、１本のシェニール糸１０で柄部１２が構成でき、綴れ織の技法のように、多数の色糸を使用し柄部１２を構成する技法に対し、生産性の面で非常に有効である。
【００２６】
なお、本発明の織物おいては、ヨコ糸に、長さ方向において色彩が変化しているシェニール糸１０以外の糸を使用する時、シェニール糸に対し太さの細い糸を使用すると、柄色部１２が織物の表面に浮き出したような凹凸感を有する織物となり、従来にない質感の織物となる。
【００２７】
また、シェニール糸は織り上げると絵柄に形成するようにパイルに色彩を配する製造方法ゆえに、非常に高価な糸であるとともに、販売されている絵柄に限りがあるが、本発明は、折り返し目印部１１の配置を柄部１２に応じて不定間隔に配置し、柄部１２のみを描出するシェニール糸を実現させることにより、価格を押さえ、織物の自由な位置に柄部１２を描出することが可能となるため、手芸の領域において、経済性からも、オリジナル性からも非常に有用な発明である。
【図面の簡単な説明】
【００２８】
【図１】本発明に係る織物の平面図である。
【図２】本発明に係る織物の平面図である。
【図３】本発明に係る織物の平面図である。
【図４】本発明に係る織物の平面図である。
【図５】本発明に係る織物の平面図である。
【符号の説明】
【００２９】
１０：シェニール糸
１１：折り返し目印部
１２：柄部
１３：地部
１４：タテ糸
１５：柄部構成色彩部
１６：折り返し目印部のパイル長
１７：柄部構成色彩部のパイル長
１８：折り返し目印部の幅
２０：織幅
２１：織長
２２：絹糸
２３：絹糸織り始め部
２４：絹糸織り終わり部
２５：シェニール糸織り始め部
２６：シェニール糸織り終わり部
【図１】
2008038292.tif 000003
【図２】
2008038292.tif 000004
【図３】
2008038292.tif 000005
【図４】
2008038292.tif 000006
【図５】
2008038292.tif 000007